(57)【要約】【課題】容器開口にアルミシール、又はプルトップ付の中栓等からなるシール部材を設けた容器首部にキャップを装着して容器を販売した後、需要者がシール部材を除去して容器内容物を使用した後、再度キャップを装着して容器開口を密封し、液漏れ等が生じないように使用することができるタイプのキャップ装着方法とそのキャップ装置。【解決手段】キャップ密封栓部２が嵌合する容器開口２２にシール部材３０を設けた容器首部２１にキャップ１を装着して、前記キャップ密封栓部２が前記シール部材３０を破らない位置にキャップ１を装着する第１の装着段階と、キャップ１を取り外してシール部材３０を除去した後に、容器開口２２にキャップ密封栓部２が嵌合して密封する位置にキャップ１を装着する第２の装着段階とを具備するキャップ装着方法とそのキャップ装置。【選択図】　　　　　　　図１
2004131085.tif 000002
【特許請求の範囲】
【請求項１】
キャップ密封栓部が嵌合する容器開口にシール部材を設けた容器首部にキャップを装着して、前記キャップ密封栓部が前記シール部材を破らない位置にキャップを装着する第１の装着段階と、キャップを取り外してシール部材を除去した後に、容器開口にキャップ密封栓部が嵌合して密封する位置にキャップを装着する第２の装着段階とからなるキャップ装着方法。
【請求項２】
請求項１に記載のキャップ装着方法において、容器首部にキャップを推進していくと、キャップスカート部に設けた離脱スカート部が容器首部の停止片に突き当たってキャップの推進を阻止し、前記キャップ密封栓部が前記シール部材を破らない位置にキャップを装着する第１の装着段階と、キャップを取り外すときに離脱スカート部をキャップスカート部から離脱せしめて、シール部材を除去後に、容器開口にキャップ密封栓部が嵌合して密封する位置にキャップを装着する第２の装着段階とからなるキャップ装着方法。
【請求項３】
請求項１又は２に記載のキャップ装着方法において、第１の装着段階位置において容器首部からキャップを取り外すとき、離脱スカート部が容器首部に取り外しを阻止されて、離脱スカート部を残してキャップが離脱する一方、離脱スカート部は第１の装着段階位置より下方に移動可能となり、シール部材除去後にキャップを第２の装着段階に装着可能となることからなるキャップ装着方法。
【請求項４】
請求項２又は３に記載のキャップ装着方法において、離脱スカート部がタンパーエビデントリングとして機能するキャップ装着方法。
【請求項５】
請求項４に記載のキャップ装着方法において、離脱スカート部がタンパーエビデントリングとして第１の装着段階位置から上方に抜け出ないように脱落防止されることからなるキャップ装着方法。
【請求項６】
請求項１乃至５のいずれかに記載のキャップ装着方法において、容器首部にキャップをねじ式に推進し装着することからなるキャップ装着方法。
【請求項７】
請求項６に記載のキャップ装着方法において、容器首部にキャップをねじ込んでいくと、キャップスカート部に設けた離脱スカート部が容器首部の停止片に突き当たってキャップのねじ込みを阻止されて、前記キャップ密封栓部が前記シール部材を破らない位置にキャップを装着する第１の装着段階と、キャップを逆回転して取り外すときに離脱スカート部が容器首部に回転阻止されて、離脱スカート部がキャップスカート部から離脱する一方、離脱スカート部は第１の装着段階位置より下方に移動可能となる段階と、シール部材を除去後に、容器開口にキャップ密封栓部が嵌合して密封する位置にキャップをねじ込み装着する第２の装着段階とからなるキャップ装着方法。
【請求項８】
請求項６又は７に記載のキャップ装着方法において、容器首部にキャップをねじ込んでいくと、キャップスカート部に設けた離脱スカート部が容器首部の停止片に突き当たる前に、離脱スカート部がタンパーエビデントリングとして第１の装着段階位置から上方に抜け出ないように脱落防止されると共に、キャップを逆回転してねじ戻し方向に回転しようとするときに離脱スカート部が容器首部に逆回転阻止されることからなる第１の装着段階を有するキャップ装着方法。
【請求項９】
キャップ密封栓部が嵌合する容器開口にシール部材を設けた容器首部にキャップを装着するキャップ装置であって、前記キャップ密封栓部が前記シール部材を破らない第１の装着段階位置において、キャップスカート部に、容器首部の停止片に突き当たってキャップの推進を阻止する離脱スカート部を設けると共に、キャップ取り外し時に離脱スカート部に容器首部の取り外し阻止片に突き当たって取り外しを阻止されキャップスカート部から該離脱スカート部を離脱可能とする取り外し阻止部を設け、離脱後の離脱スカート部は第１の装着段階位置より下方に移動可能とし、シール部材を除去後に、容器開口にキャップ密封栓部を嵌合して密封する第２の装着段階位置にキャップを装着可能にしたキャップ装置。
【請求項１０】
請求項９に記載のキャップ装置において、タンパーエビデントリングとして離脱スカート部に容器首部の脱落阻止片により脱落を阻止される脱落阻止部を設けてなるキャップ装置。
【請求項１１】
請求項９又は１０に記載のキャップ装置において、キャップスカート部と離脱スカート部とが容易に切断する複数個所のブリッジにより連結されているキャップ装置。
【請求項１２】
請求項９、１０又は１１に記載のキャップ装置において、容器首部にキャップをねじ式に着脱する構成からなるキャップ装着装置。
【請求項１３】
請求項１２に記載のキャップ装置において、離脱スカート部の脱落阻止部が容器首部の脱落阻止片に当接しない回転位置からキャップを容器首部にねじ込み始め、容器首部の停止片に突き当たってねじ込みが停止する第１の装着段階位置で脱落阻止部と脱落阻止片が当接可能に構成したキャップ装置。
【請求項１４】
請求項１３に記載のキャップ装置において、離脱スカート部の脱落阻止部と容器首部の脱落阻止片とを互いに重なり合わない間隔を隔てて等角度間隔に設けて、互いに当接しない回転位置からキャップを容器首部にねじ込み始め、容器首部の停止片に突き当たってねじ込みが停止する第１の装着段階位置で脱落阻止部と脱落阻止片が当接可能に構成したキャップ装置。
【請求項１５】
請求項１３又は１４に記載のキャップ装置において、離脱スカート部の脱落阻止部のねじ込み方向先端部付近に取り外し阻止部を設けると共に、ねじ込み方向後端部付近に回転阻止部を設け、容器首部の脱落阻止片のねじ込み方向先端部付近に設けた取り外し阻止片とねじ込み方向後端部付近に設けた停止片に、第１の装着段階でそれぞれ相対して係合可能に設けたキャップ装置。
【請求項１６】
請求項１３、１４又は１５に記載のキャップ装置において、離脱スカート部の脱落阻止部を離脱スカート部の下縁辺付近に設けると共に、容器首部の脱落阻止片を取り外し阻止片又は停止片の上縁辺付近に設けてなるキャップ装置。
【請求項１７】
請求項１２乃至１６のいずれかに記載のキャップ装置において、キャップスカート部と離脱スカート部の間にねじ込み推進方向においてのみ連動するように係合する連動係合部を設けてなるキャップ装置。
【発明の詳細な説明】
【０００１】
【発明の属する技術分野】
本発明は、キャップ装着方法とそのキャップ装置に関する。
【０００２】
【従来の技術】
従来、ガスバリヤ性に優れている等の理由で、容器開口にアルミシール、又はプルトップ付の中栓等からなるシール部材を設けた容器首部にキャップを装着して容器を販売した後、需要者がシール部材を除去して容器内容物を使用した後、再度キャップを装着してキャップ内奥の密封栓部を容器開口に嵌合して密封し、液漏れ等が生じないように使用するタイプの容器の場合等において、最初にシール部材を設けた容器首部にキャップを装着する第１の装着段階で、前記キャップ密封栓部が前記シール部材を破らないようにするには、キャップ密封栓部が嵌合する分だけシール部材を容器開口の内奥に位置して設ける必要がある。
【０００３】
【発明が解決しようとする課題】
シール部材を容器開口の内奥に位置して設けることは、それだけ容器開口を複雑にし、シール部材の設置も難しくなるのみならず、シール部材を除去する手段もアルミシール等の場合には困難になる課題がある。
【０００４】
【課題を解決するための手段】
そこで、本発明は、請求項１に記載の如く、キャップ密封栓部が嵌合する容器開口にシール部材を設けた容器首部にキャップを装着して、前記キャップ密封栓部が前記シール部材を破らない位置にキャップを装着する第１の装着段階と、キャップを取り外してシール部材を除去した後に、容器開口にキャップ密封栓部が嵌合して密封する位置にキャップを装着する第２の装着段階とからなるキャップ装着方法を提供するものである。
【０００５】
本発明によれば、第１の装着段階において、容器開口にシール部材を設けた容器首部にキャップ密封栓部が前記シール部材を破らない位置にキャップを装着することができるから、シール部材を容器開口の上縁部に設けることができ、その状態で市販することができ、この容器を購買した需要者はキャップを取り外してシール部材を容易に除去することができ、除去した後の第２の装着段階においては、容器開口にキャップ密封栓部が嵌合して密封する位置にキャップを装着することができるから、キャップ密封栓部によって容器開口部の密封性は維持されることとなる。
【０００６】
また、本発明は、請求項２に記載の如く、請求項１に記載のキャップ装着方法において、容器首部にキャップを推進していくと、キャップスカート部に設けた離脱スカート部が容器首部の停止片に突き当たってキャップの推進を阻止し、前記キャップ密封栓部が前記シール部材を破らない位置にキャップを装着する第１の装着段階と、キャップを取り外すときに離脱スカート部がキャップスカート部から離脱して、シール部材を除去後に、容器開口にキャップ密封栓部が嵌合して密封する位置にキャップを装着する第２の装着段階とからなるキャップ装着方法を提供するものである。
【０００７】
本発明によれば、第１の装着段階において、キャップスカート部に設けた離脱スカート部が容器首部の停止片に突き当たってキャップの推進を阻止すると共に、キャップを取り外すときに離脱スカート部がキャップスカート部から離脱するから、シール部材を除去後に、第２の装着段階において、容器開口にキャップを装着するときに離脱スカート部に停止させられることがなくなり、キャップ密封栓部が容器開口に嵌合して密封する位置にキャップを装着することができる。
【０００８】
また、本発明は、請求項３に記載の如く、請求項１又は２に記載のキャップ装着方法において、第１の装着段階位置において容器首部からキャップを取り外すとき、離脱スカート部が容器首部に取り外しを阻止されて、離脱スカート部を残してキャップが離脱する一方、離脱スカート部は第１の装着段階位置より下方に移動可能となり、シール部材除去後にキャップを第２の装着段階に装着可能となることからなるキャップ装着方法を提供するものである。
【０００９】
本発明によれば、第１の装着段階位置において容器首部からキャップを取り外すと、離脱スカート部を残してキャップが離脱し、離脱スカート部が第１の装着段階位置より下方に移動可能となるから、シール部材除去後にそのままキャップを第２の装着段階に装着することができる。
なお、この場合、第１の装着段階位置において離脱スカート部が容器首部の太首形状の段部を乗り越えて細首部に嵌合して停止し、容器首部からキャップを取り外すとき、ブリッジが千切れて離脱スカート部を残してキャップが離脱し、離脱スカート部が第１の装着段階位置より細首部に沿って下方に移動可能となり、シール部材除去後にそのままキャップを第２の装着段階に装着することができる場合も含まれる。
【００１０】
また、本発明は、請求項４に記載の如く、請求項２又は３に記載のキャップ装着方法において、離脱スカート部がタンパーエビデントリングとして機能するキャップ装着方法を提供するものである。
本発明によれば、第１の装着段階位置において容器首部からキャップを取り外すと、キャップスカート部から離脱し容器首部に残された離脱スカート部がタンパーエビデントリングとして機能することとなる。
【００１１】
また、本発明は、請求項５に記載の如く、請求項４に記載のキャップ装着方法において、離脱スカート部がタンパーエビデントリングとして第１の装着段階位置から上方に抜け出ないように脱落防止することからなるキャップ装着方法を提供するものである。
本発明によれば、離脱スカート部が第１の装着段階位置から上方に抜け出ないように脱落防止されることによって、タンパーエビデントリングとして存在し続けることとなる。
【００１２】
また、本発明は、請求項６に記載の如く、請求項１乃至５のいずれかに記載のキャップ装着方法において、容器首部にキャップをねじ式に推進し装着することからなるキャップ装着方法を提供するものである。
本発明によれば、容器首部にキャップをネジ式に強力に正確に確実に着脱することができ、特には、キャップスカート部から離脱スカート部を円滑に離脱することができる。
【００１３】
また、本発明は、請求項７に記載の如く、請求項６に記載のキャップ装着方法において、容器首部にキャップをねじ込んでいくと、キャップスカート部に設けた離脱スカート部が容器首部の停止片に突き当たってキャップのねじ込みを阻止されて、前記キャップ密封栓部が前記シール部材を破らない位置にキャップを装着する第１の装着段階と、キャップを逆回転して取り外すときに離脱スカート部が容器首部に回転阻止されて、離脱スカート部がキャップスカート部から離脱する一方、離脱スカート部は第１の装着段階位置より下方に移動可能とする段階と、シール部材を除去後に、容器開口にキャップ密封栓部が嵌合して密封する位置にキャップをねじ込み装着する第２の装着段階とからなるキャップ装着方法を提供するものである。
【００１４】
本発明によれば、容器開口部にシール部材を施した容器首部にキャップをねじ込むと、キャップスカート部に設けた離脱スカート部が容器首部の停止片に突き当たってキャップのねじ込みを阻止されて、キャップ密封栓部がシール部材を破らない第１の装着位置にキャップを装着することができ、キャップを逆回転して取り外すときに離脱スカート部が容器首部に回転阻止されて、離脱スカート部がキャップスカート部からタンパーエビデントリングとして離脱してキャップのみを取り外すことができ、同時に離脱スカート部は第１の装着段階位置より下方に移動可能となり、シール部材を除去後に、容器首部にキャップをねじ込むとキャップ密封栓部が容器開口に嵌合して密封し、容器開口を密封する状態でキャップを装着することができる。
【００１５】
また、本発明は、請求項８に記載の如く、請求項６又は７に記載のキャップ装着方法において、容器首部にキャップをねじ込んでいくと、キャップスカート部に設けた離脱スカート部が容器首部の停止片に突き当たる前に、離脱スカート部がタンパーエビデントリングとして第１の装着段階位置から上方に抜け出ないように脱落防止されると共に、キャップを逆回転してねじ戻し方向に回転しようとするときに離脱スカート部が容器首部に逆回転阻止されることからなる第１の装着段階を有するキャップ装着方法を提供するものである。
【００１６】
本発明によれば、容器首部にキャップをねじ込んで第１の装着段階位置にキャップを装着した段階では、既に、離脱スカート部が離脱後にタンパーエビデントリングとして第１の装着段階位置から上方に抜け出ないように脱落防止されていると共に、キャップを逆回転しようとするときには、離脱スカート部が容器首部に逆回転阻止されているから、キャップを第１の装着段階においてねじ込み方向及びねじ戻し方向に回転することなく固定的に装着することができる一方、容器首部からキャップをねじ戻して取り外す場合には、直ちに離脱スカート部を離脱しタンパーエビデントリングとして容器首部に脱落することなく残すことができる。
【００１７】
また、本発明は、請求項９に記載の如く、キャップ密封栓部が嵌合する容器開口にシール部材を設けた容器首部にキャップを装着するキャップ装置であって、前記キャップ密封栓部が前記シール部材を破らない第１の装着段階位置において、キャップスカート部に、容器首部の停止片に突き当たってキャップの推進を阻止する離脱スカート部を設けると共に、キャップ取り外し時に離脱スカート部に容器首部の取り外し阻止片に突き当たって取り外しを阻止されキャップスカート部から該離脱スカート部を離脱可能とする取り外し阻止部を設け、離脱後の離脱スカート部は第１の装着段階位置より下方に移動可能とし、シール部材を除去後に、容器開口にキャップ密封栓部を嵌合して密封する第２の装着段階位置にキャップを容器首部に対して装着可能にしたキャップ装置を提供するものである。
【００１８】
また、本発明は、請求項１０に記載の如く、請求項９に記載のキャップ装置において、タンパーエビデントリングとして離脱スカート部に容器首部の脱落阻止片により脱落を阻止される脱落阻止部を設けてなるキャップ装置を提供するものである。
また、本発明は、請求項１１に記載の如く、請求項９又は１０に記載のキャップ装置において、キャップスカート部と離脱スカート部とが容易に切断する複数個所のブリッジにより連結されているキャップ装置を提供するものである。
【００１９】
また、本発明は、請求項１２に記載の如く、請求項９、１０又は１１に記載のキャップ装置において、容器首部にキャップをねじ式に着脱する構成からなるキャップ装着装置を提供するものである。
また、本発明は、請求項１３に記載の如く、請求項１２に記載のキャップ装置において、キャップを容器首部にねじ込み始めるとき離脱スカート部の脱落阻止部が容器首部の脱落阻止片に当接しない回転位置に位置し、容器首部の停止片に突き当たってねじ込みが停止する第１の装着段階位置で脱落阻止部と脱落阻止片が当接可能に構成したキャップ装置を提供するものである。
【００２０】
また、本発明は、請求項１４に記載の如く、請求項１３に記載のキャップ装置において、離脱スカート部の脱落阻止部と容器首部の脱落阻止片とを互いに重なり合わない間隔を隔てて等角度間隔に設けて、キャップを容器首部にねじ込み始めるとき互いに当接しない回転位置にあり、容器首部の停止片に突き当たってねじ込みが停止する第１の装着段階位置で脱落阻止部と脱落阻止片が当接可能に構成したキャップ装置を提供するものである。
【００２１】
また、本発明は、請求項１５に記載の如く、請求項１３又は１４に記載のキャップ装置において、離脱スカート部の脱落阻止部のねじ込み方向先端部付近に取り外し阻止部を設けると共にねじ込み方向後端部付近に回転阻止部を設け、容器首部の脱落阻止片のねじ込み方向先端部付近に設けた取り外し阻止片とねじ込み方向後端部付近に設けた停止片に、第１の装着段階でそれぞれ相対して係合可能に設けたキャップ装置を提供するものである。
【００２２】
また、本発明は、請求項１６に記載の如く、請求項１３、１４又は１５に記載のキャップ装置において、離脱スカート部の脱落阻止部を離脱スカート部の下縁辺付近に設けると共に、容器首部の脱落阻止片を取り外し阻止片又は停止片の上縁辺付近に設けてなるキャップ装置を提供するものである。
また、本発明は、請求項１７に記載の如く、請求項１２乃至１６のいずれかに記載のキャップ装置において、キャップスカート部と離脱スカート部の間にねじ込み推進方向においてのみ連動するように係合する連動係合部を設けてなるキャップ装置を提供するものである。
【００２３】
【発明の実施の形態】
以下図示する実施例により本発明の実施の形態を説明する。
図１において、１はキャップで、その天板部に、首部本体２０の容器首部２１に破線で示す容器開口２２に嵌合するキャップ密封栓部２を具備している。容器開口２２には、太線で示すシール部材３０が設けてあり、図１に示す第１の装着段階ではキャップ密封栓部２はシール部材３０を破らないように接している。
【００２４】
なお、キャップ密封栓部２は、実施例では、容器開口２２の内周部に嵌合する凸状の形態からなるが、容器開口２２のの外周部に嵌合する凹状の形態のもの、容器開口２２の内外周部に嵌合する二重円筒状の形態のもの、或いは、ゴム状で弾性変形して容器開口２２に密着する形態のもの等の構成のものが含まれ、従って、容器開口２２にキャップ密封栓部２が嵌合する形態としては、文字通りに嵌合する形態に限定されずに、容器開口に圧着する形態も含まれるものである。
【００２５】
また、シール部材３０は、図示の実施例では、アルミシールのように、内側の樹脂層を容器開口２２に剥ぎ取り可能に接着又は溶着した形態のものであるが、容器開口２２にプルトップにより剥ぎ取り可能に一体成形した形態のもの、破り取れるように薄膜状に設けた形態のもの、或いは、内栓式に容器開口２２に弾性的に嵌着した形態のもの等の従来公知の形態が含まれる。
【００２６】
容器首部２１には、約１８０＆ｄｅｇ；の角度に２重ねじ２３が設けてあり、これにキャップ１のねじ３が螺合して、図３の螺号開始位置から、図４の約４５＆ｄｅｇ；回転した中間位置を経て、図５の約９０＆ｄｅｇ；回転したキャップ密封栓部２がシール部材３０に接している第１の装着段階に至り、キャップ１を一旦取り外してシール部材３０を除去してから、再度螺合して約１８０＆ｄｅｇ；回転したときには、図６に記載のように、容器開口２２にキャップ密封栓部２が嵌合して密封する第２の装着段階にキャップ１を装着することができるように構成してある。
【００２７】
キャップ１には、図７に記載の如く、外周にやや拡張したキャップスカート部４が設けてあり、その下側に所定の間隔５を隔てて離脱スカート部１０がタンパーエビデントリングとしてブリッジ６により離脱可能に連結して設けてある。
キャップスカート部４には、１８０＆ｄｅｇ；の間隔を隔てて２個所に切欠部８によってねじ込み方向に向かって係合歯７が設けてあると共に、これに図８又は図９に記載の如く、離脱スカート部１０の上縁部に突設した係合歯１１が係合するように設けてあり、キャップ１のねじ込み方向の回転において、離脱スカート部１０がブリッジ６が千切れることなくキャップ１と一体に回転するように構成してある。
【００２８】
なお、上記係合歯７、１１は、キャップスカート部４と離脱スカート部１０の間において、ねじ込み推進方向においてのみ連動するように係合する連動係合部を構成している。
また、離脱スカート部１０には、上記係合歯１１のねじ込み方向側に位置してねじ込み方向に突出した回転阻止部１２が設けてあり、図２又は図５に記載の如く、第１の装着段階において、容器首部２１の下端部に設けた停止片２４に当接してねじ込み方向の回転を阻止されるように構成してある。
【００２９】
また、離脱スカート部１０には、上記係合歯１１のねじ戻し方向側に位置してねじ戻し方向に突出した取り外し阻止部１３が設けてあり、図２又は図５に記載の如く、第１の装着段階において、容器首部２１の下端部に設けた取り外し阻止片２５に当接してねじ戻し方向の回転を阻止されるように構成してある。
従って、図１、図２又は図５の第１の装着段階において、離脱スカート部１０は、ねじ込み方向にもねじ戻し方向にも回転を阻止されているから、キャップ１はブリッジ６が連結している限りにおいて離脱スカート部１０と一体に回転を阻止され、第１の装着段階に確実に保持されることとなり、不用意に離脱されることは防止されている。
【００３０】
即ち、キャップ１のねじ込み方向の回転に対しては、キャップスカート部の係合歯７と離脱スカート部の係合歯１１とが係合していることにより、ブリッジ６に切断力が加わらずにキャップ１と離脱スカート部１０は一体的に回転を阻止される一方、キャップ１のねじ戻し方向の回転に対しては、キャップスカート部の係合歯７と離脱スカート部の係合歯１１とが離脱可能で、キャップを強くねじ戻すときにはブリッジ６に切断力が加わり、キャップ１は離脱スカート部１０を残してねじ戻し方向に回転することとなる。
【００３１】
なお、実施例の場合、図７に記載の如く、離脱方向の回転に対して互いに当接する係合歯７，１１のテーパー面９，１４が互いに間隔５を拡張してブリッジ６の切断を促進することになり、ブリッジ６に強力に切断力が加わり、容易且つ円滑にブリッジを切断することができることとなる。
また、離脱スカート部１０には、上記係合歯１１から約９０＆ｄｅｇ；の角度間隔で、回転阻止部１２と取り外し阻止部１３との間に、脱落阻止部１５が約１８０＆ｄｅｇ；隔てて円弧状に相対して配設してある。実施例の場合、脱落阻止部１５は、図１又は図２に記載の如く、第１の装着段階において、容器首部２１の下端部に回転阻止片２４と取り外し阻止片２５の間に渡って円弧状に突設した脱落阻止片２６に係合して脱落を阻止されるように構成してある。
【００３２】
実施例の場合、脱落阻止部１５は離脱スカート部１０の下端部に設けてある一方、脱落阻止片２６は回転阻止片２４と取り外し阻止片２５の上端部に設けてあり、図３のキャップ１の装着開始位置で離脱スカート部１０の下端部に設けてある脱落阻止部１５が、回転阻止片２４と取り外し阻止片２５の上端部に設けてある脱落阻止片２６の下側に位置するようにして、図４及び図５の如く、脱落阻止部１５が脱落阻止片２６の下側に円滑に係合するように構成してある。
【００３３】
容器首部２１の脱落阻止片２６の下側は、図６に記載の如く、離脱スカート部１０が下方に移動してリング受け段部２７上にタンパーエビデントリングとして収まる程度に、縦長にスペースを設けてあり、そのスペースに縦長に前記回転阻止片２４と取り外し阻止片２５が設けてあり、離脱スカート部１０の下方向への移動を円滑にガイドする機能も兼ねている。
【００３４】
容器首部２１は、図示の実施例の場合、図では省略した柔軟な袋状容器の開口部に一体に取り付けられるスパウト３１に設けてあり、リング受け段部２７の下側に連結首部２９を隔てて容器肩部２８が設けてある。
図１０乃至図１２に記載の如く、スパウト３１の容器肩部２８の下側には、鍔状部３２と溝状部３３とを交互に設けた取付部３５が設けてあり、この取付部３５に接着剤又は溶着等により袋状容器の開口部を取り付けることができるように構成してある。
【００３５】
上記の実施例の構成において、容器首部２１にキャップ１を螺合してねじ込み回転して推進していくと、図３の螺合開始位置において、キャップスカート部４にブリッジ６を介して離脱可能に設けた離脱スカート部１０の下端部の脱落阻止部１５が、容器首部２１の脱落阻止片２６を乗り越えてその下側に位置して螺合し、図４の中間位置を経て、図５の約９０＆ｄｅｇ；回転した状態で、離脱スカート部１０の回転阻止部１２が容器首部２１の停止片２４に突き当たってキャップ１の推進を阻止し、前記キャップ密封栓部２が前記シール部材３０を破らない位置にキャップ１を装着する第１の装着段階に至る。
【００３６】
この状態では、キャップ１と離脱スカート部１０は係合歯７，１１がねじ込み方向において一体的に連動するように係合しているから、キャップ１をねじ込み方向に回転することは不可能である。また、途中のねじ込み状態では、キャップ１のねじ込み方向において多少の抵抗があっても離脱スカート部１０にブリッジ６が破断するような力が加わらないから、第１の装着状態に至るまでに離脱スカート部１０が離脱する恐れはない。また、この状態で、キャップ１のねじ戻し方向の回転力に対しては、図２に記載のように、離脱スカート部１０の取り外し阻止部１３は容器首部の取り外し阻止片２５に係合して回転しないから、キャップ１が不用意に離脱するようなことは防止されている。
【００３７】
次ぎに、容器の内容物を使用するため、キャップ１をねじ戻し方向に逆転して取り外すときには、前述のように、離脱スカート部１０の取り外し阻止部１３は容器首部の取り外し阻止片２５に係合して回転しないから、キャップ１に更に回転力を加えると、ブリッジ６が引き千切れて、キャップ１だけが取り外されることとなり、離脱スカート部１０は、図６に記載のように、タンパーエビデントリングとしてリング受け段部２７上に落下して留まる。
【００３８】
そして、シール部材３０を除去後に、キャップ１を再度螺合するときには、キャップスカート部４に離脱スカート部１０は存在ないから、回転阻止片２４に阻止されることなく、図６に記載のように、容器開口２２にキャップ密封栓部２が嵌合して密封する位置にキャップを装着する第２の装着段階まで、キャップをねじ込んで装着することができる。
このとき、図６に記載のように、キャップ１のスカート部４から離脱スカート部１０が大きな間隔５を隔てて離脱していることは明白に判るから、離脱スカート部１０はタンパーエビデントリングとして機能することとなる。
【００３９】
【発明の効果】
以上の通り、本発明に係るキャップ装着方法とそのキャップ装置によれば、キャップ密封栓部が嵌合する容器開口にシール部材を設けた容器首部にキャップを装着して、前記キャップ密封栓部が前記シール部材を破らない位置にキャップを装着する第１の装着段階と、キャップを取り外してシール部材を除去した後に、容器開口にキャップ密封栓部が嵌合して密封する位置にキャップを装着する第２の装着段階とからなる構成を有することにより、第１の装着段階において、容器開口にシール部材を設けた容器首部にキャップ密封栓部が前記シール部材を破らない位置にキャップを装着することができるから、シール部材を容器開口の上縁部に設けることができ、その状態で市販することができ、この容器を購買した需要者はキャップを取り外して容器開口上縁部のシール部材を容易に除去することができる効果があり、除去した後の第２の装着段階においては、容器開口にキャップ密封栓部が嵌合して密封する位置にキャップを装着することができるから、シール部材を除去した後にも容器開口部の密封性を容易に維持することができる効果がある。
【００４０】
また、本発明は、上記のキャップ装着方法とそのキャップ装置において、容器首部にキャップを推進していくと、キャップスカート部に設けた離脱スカート部が容器首部の停止片に突き当たってキャップの推進を阻止し、前記キャップ密封栓部が前記シール部材を破らない位置にキャップを装着する第１の装着段階と、容器首部からキャップを取り外すときに離脱スカート部がキャップスカート部から離脱して、シール部材を除去後に、容器開口にキャップ密封栓部が嵌合して密封する位置にキャップを装着する第２の装着段階とからなる構成を有することにより、第１の装着段階において、キャップスカート部に設けた離脱スカート部が容器首部の停止片に突き当たってキャップの推進を阻止すると共に、キャップを取り外すときに離脱スカート部がキャップスカート部から離脱するから、シール部材を除去後に、第２の装着段階において、容器開口にキャップを装着するときに離脱スカート部に停止させられることがなくなり、キャップ密封栓部が容器開口に嵌合して密封する位置にキャップを装着することができる効果がある。
【００４１】
また、本発明は、上記のキャップ装着方法とそのキャップ装置において、第１の装着段階位置において容器首部からキャップを取り外すとき、離脱スカート部が容器首部に取り外しを阻止されて、離脱スカート部を残してキャップが離脱する一方、離脱スカート部は第１の装着段階位置より下方に移動可能となり、シール部材除去後にキャップを第２の装着段階に装着可能となることからなる構成を有することにより、第１の装着段階位置において容器首部からキャップを取り外すと、離脱スカート部を残してキャップが離脱し、離脱スカート部が第１の装着段階位置より下方に移動可能となるから、シール部材除去後にそのままキャップを第２の装着段階に装着することができる効果があると共に、離脱スカート部をタンパーエビデントリングとして使用することができる効果がある。
【００４２】
また、本発明は、上記のキャップ装着方法とそのキャップ装置において、離脱スカート部がタンパーエビデントリングとして機能する構成を有することにより、第１の装着段階位置において容器首部からキャップを取り外すと、キャップスカート部から離脱して容器首部に残された離脱スカート部がタンパーエビデントリングとして機能する効果がある。
また、本発明は、上記のキャップ装着方法とそのキャップ装置において、離脱スカート部が第１の装着段階位置から上方に抜け出ないように脱落防止することからなる構成を有することにより、離脱スカート部が容器首部にタンパーエビデントリングとして存在し続ける効果がある。
また、本発明は、上記のキャップ装着方法とそのキャップ装置において、容器首部にキャップをねじ式に推進し装着することからなる構成を有することにより、容器首部にキャップをネジ式に強固に確実に着脱することができる効果がある。
【００４３】
また、本発明は、上記のキャップ装着方法とそのキャップ装置において、容器首部にキャップをねじ込んでいくと、キャップスカート部に設けた離脱スカート部が容器首部の停止片に突き当たってキャップのねじ込みを阻止されて、前記キャップ密封栓部が前記シール部材を破らない位置にキャップを装着する第１の装着段階と、キャップを逆回転して取り外すときに離脱スカート部が容器首部に回転阻止されて、離脱スカート部がキャップスカート部から離脱する一方、離脱スカート部は第１の装着段階位置より下方に移動可能とする段階と、シール部材を除去後に、容器開口にキャップ密封栓部が嵌合して密封する位置にキャップをねじ込み装着する第２の装着段階とからなる構成を有することにより、容器開口部にシール部材を施した容器首部にキャップをねじ込むと、キャップスカート部に設けた離脱スカート部が容器首部の停止片に突き当たってキャップのねじ込みを阻止されて、キャップ密封栓部がシール部材を破らない第１の装着位置にキャップを装着することができ、キャップを逆回転して取り外すときに離脱スカート部が容器首部に回転阻止されて、離脱スカート部がキャップスカート部からタンパーエビデントリングとして離脱してキャップのみを取り外すことができ、同時に離脱スカート部は第１の装着段階位置より下方に移動可能となり、シール部材を除去後に、容器首部にキャップをねじ込むとキャップ密封栓部が容器開口に嵌合して密封し、容器開口を密封する状態でキャップを装着することができる効果がある。
【００４４】
また、本発明は、上記のキャップ装着方法とそのキャップ装置において、容器首部にキャップをねじ込んでいくと、キャップスカート部に設けた離脱スカート部が容器首部の停止片に突き当たる前に、離脱スカート部がタンパーエビデントリングとして第１の装着段階位置から上方に抜け出ないように脱落防止されると共に、キャップを逆回転して取り外すときに離脱スカート部が容器首部に逆回転阻止されることからなる第１の装着段階を有する構成を有することにより、容器首部にキャップをねじ込んで第１の装着段階位置にキャップを装着した段階には、既に、離脱スカート部が離脱後にタンパーエビデントリングとして第１の装着段階位置から上方に抜け出ないように脱落防止されていると共に、キャップを逆回転しようとするときには、離脱スカート部が容器首部に逆回転阻止されているから、キャップを第１の装着段階においてねじ込み方向及びねじ戻し方向に回転することなく固定的に装着することができる一方、容器首部からキャップをねじ戻して取り外す場合には、直ちに離脱スカート部を離脱しタンパーエビデントリングとして容器首部に脱落することなく残すことができる効果がある。
【図面の簡単な説明】
【図１】本発明に係るキャップ装置の一実施例の一部縦断正面図。
【図２】その実施例の要部の横断平面図。
【図３】その実施例の使用態様を示す説明図。
【図４】その実施例の使用態様を示す説明図。
【図５】その実施例の使用態様を示す説明図。
【図６】その実施例の使用態様を示す説明図。
【図７】その要部の縦断正面図。
【図８】その要部の底面図。
【図９】その他の要部の平面図。
【図１０】その他の要部の正面図。
【図１１】その他の要部の平面図。
【図１２】その他の要部の底面図。
【符号の説明】
１　　　キャップ
２　　　キャップ密封栓部
３　　　ねじ
４　　　キャップスカート部
５　　　間隔
６　　　ブリッジ
７　　　係合歯
８　　　切欠部
９　　　テーパー面
１０　　離脱スカート部
１１　　係合歯
１２　　回転阻止部
１３　　取り外し阻止部
１４　　テーパー面
１５　　脱落阻止部
２０　　首部本体
２１　　容器首部
２２　　容器開口
２３　　ねじ
２４　　停止片
２５　　取り外し阻止片
２６　　脱落阻止片
２７　　リング受け段部
２８　　容器肩部
２９　　連結首部
３０　　シール部材
３１　　スパウト
３２　　鍔状部
３３　　溝状部
３５　　取付部
【図１】
2004131085.tif 000003
【図２】
2004131085.tif 000004
【図３】
2004131085.tif 000005
【図４】
2004131085.tif 000006
【図５】
2004131085.tif 000007
【図６】
2004131085.tif 000008
【図７】
2004131085.tif 000009
【図８】
2004131085.tif 000010
【図９】
2004131085.tif 000011
【図１０】
2004131085.tif 000012
【図１１】
2004131085.tif 000013
【図１２】
2004131085.tif 000014